(57)【特許請求の範囲】
【請求項１】
インターネット回線を介して、電気機器を遠隔監視および遠隔操作する遠隔監視管理システムにおいて、電気機器のプラグを接続するコンセントを２個以上備えたテーブルタップのコンセントと電気機器との間に介在して、電気機器に供給されている電流値やテーブルタップに流れている総電流値を遠隔監視し、電気機器に流れる電流を遠隔操作でＯＮ／ＯＦＦ制御する電気機器接続用具であって、
コンセントから電気機器に供給される電流値を監視する電力監視手段Ａと、
コンセントから電気機器に供給される電流をＯＮ／ＯＦＦ制御するスイッチ手段と、
同じテーブルタップに接続された他の電気機器接続用具が測定した電流値のデータを無線で受信し、インターネットに接続可能な外部装置と無線で接続可能な無線通信手段と、
を備えており、
電力監視手段Ａは、
コンセントから電気機器に供給される電流値を測定する電力測定手段と、
同じテーブルタップに接続された全ての電気機器接続用具で測定された電流値のデータを集計し合計値を算出する集計手段と、
集計手段が算出した合計値がテーブルタップの定格容量以下であるか、超過しているか、を判定する判定手段と、
電力測定手段と、集計手段と、判定手段と、スイッチ手段の動作を制御し、集計手段が取得した電流値のデータと算出した合計値のデータおよび判定手段が判定した結果を記憶する制御手段Ａと、を備えていることを特徴とする電気機器接続用具。
【請求項２】
インターネット回線を介して、電気機器を遠隔監視および遠隔操作する遠隔監視管理システムにおいて、
電気機器のプラグを接続するコンセントを２個以上備えたテーブルタップのコンセントと電気機器との間に介在して、電気機器に供給されている電流値やテーブルタップに流れている電流値を遠隔監視し、電気機器に流れる電流を遠隔操作でＯＮ／ＯＦＦ制御する電気機器接続用具と、
その電気機器接続用具および他の電気機器接続用具と無線で接続して全ての電気機器接続用具が測定した電流値のデータを取得し、また各電気機器接続用具のスイッチ手段に信号を伝達してＯＮ／ＯＦＦ制御が可能で、またインターネットに接続可能な外部装置と無線通信可能な外部制御装置と、を備えている電気機器接続用具と外部制御装置のセットであって、
外部制御装置は、
インターネットに接続可能な外部装置を介して送られてくる信号または外部制御装置自身が発する信号により、同じテーブルタップと他のテーブルタップに接続された電気機器接続用具を区別して、テーブルタップ毎に、全ての電気機器接続用具で測定された電流値のデータを取得し、合計値を算出する集計手段と、
それらの各合計値が各テーブルタップの定格容量以下であるか、超過しているか、を判定する判定手段と、
インターネットに接続可能な外部装置や全ての電気機器接続用具と無線通信可能な無線通信手段Ｂと、
集計手段と、判定手段と、外部制御装置の無線通信手段Ｂの動作を制御し、集計手段が取得した電流値のデータや算出した合計値のデータと、判定手段が判定した結果のデータを記憶する外部制御手段と、を備えており、
電気機器接続用具は、
コンセントから電気機器に供給される電流値を監視する電力監視手段と、
コンセントから電気機器に供給される電流をＯＮ／ＯＦＦ制御するスイッチ手段と、
外部制御装置の無線通信手段Ｂと無線通信可能な無線通信手段Ａと、を備えており、
電力監視手段は、コンセントから電気機器に供給される電流値を測定する電力測定手段と、電力測定手段とスイッチ手段を制御する制御手段Ｂを備えていることを特徴とする電気機器接続用具と外部制御装置のセット。
【請求項３】
前記無線通信手段が、ＲＦＩＤタグに使用されるアンテナとＩＣチップを備えていることを特徴とする請求項１に記載の電気機器接続用具。
【請求項４】
前記無線通信手段Ａが、ＲＦＩＤタグに使用されるアンテナとＩＣチップを備えていることを特徴とする請求項２に記載の電気機器接続用具と外部制御装置のセット。
【請求項５】
請求項１または３に記載の前記電気機器接続用具を使用した電気機器の遠隔監視管理システムであって、
前記外部装置が、無線ルータであることを特徴とする電気機器の遠隔監視管理システム。
【請求項６】
請求項２または４に記載の前記電気機器接続用具と前記外部制御装置のセットを使用した電気機器の遠隔監視管理システムであって、
前記外部装置が、無線ルータであることを特徴とする電気機器の遠隔監視管理システム。
【発明の詳細な説明】
【技術分野】
【０００１】
本発明は、電気機器の電力の使用量やその経時的な変化をインターネットを介して監視し、また電気機器への商用電源のＯＮ／ＯＦＦを遠隔操作可能な遠隔監視管理システムで使用する電気機器接続用具に関する。
【背景技術】
【０００２】
近年、ＩｏＴ（Ｉｎｔｅｒｎｅｔ  ｏｆ  Ｔｈｉｎｇｓ）の進展に伴い、電気・電子機器を監視し、遠隔操作できる装置が市販されている。例えば、家庭内におけるエアコンなどのＯＮ／ＯＦＦを、スマートフォンなどを使用して操作できるようになっている。また消費電力の経時的な推移を監視し記録することも可能である。
【０００３】
このような遠隔監視管理システムは、家庭の無線ＬＡＮを介して、例えば家庭内に設置されたエアコンと通信可能となっており、インターネット回線を通じて外出先からスマートフォンなどの携帯情報端末を使用してエアコンを遠隔操作したり、監視するものである。
【０００４】
このような家庭用電気機器は、専用のオプション機器を備えていることにより、家庭内において無線ＬＡＮと接続が可能となっている。そのようなオプション機器を備えていない従来の家電機器では、遠隔監視や遠隔操作ができないという状況にある。
【０００５】
そのような問題点を解決するための技術として、例えば、特許文献１には、外出先等の遠隔地から、複数のコンセントの通電状態を確認したり、通電をオン・オフ制御することができるコンセント装置、及び電源管理システムを実現する技術として、複数のコンセントを具備し、外部の電源に接続されることにより前記複数のコンセントに接続された機器に対して電力を供給するコンセント装置において、前記複数のコンセントにおける電力の供給状態を、各コンセント毎に切り換えるスイッチと、外部の機器より送信された無線信号を受信する受信手段と、この受信手段により受信された前記無線信号に基づいて、前記スイッチにより前記複数のコンセントにおける電力の供給状態を切り換えさせるスイッチング制御手段と、を備えることを特徴とするコンセント装置が開示されている。
【０００６】
また特許文献２には、遠隔オン／オフ切り換えを行なうことができる構成簡単かつ低コストであるテーブルタップの電源オン／オフ制御方法、及びテーブルタップを得る技術として、少なくとも１個のコンセントを有するテーブルタップにおいて、マイクロコンピュータと、このマイクロコンピュータのＣＰＵへの制御データ入力及びＲＯＭに記憶したプログラムに基づいて各コンセント毎のオン／オフ切り換えを制御することができるオン／オフ制御回路と、前記ＣＰＵに対する入出力部としてのインターフェイス手段とを具え、前記インターフェイス手段のカードスロットにカード型モバイル通信端末を差し込み、テーブルタップ供給元に関連するＷｅｂサーバに対して、このＷｅｂサーバ環境のデータベースに登録されたテーブルタップ管理者のインターネット対応携帯電話によるＨＴＴＰリクエストに応答して、Ｗｅｂサーバがアプリケーションソフトウェアに基づいて公衆通信回線網を介して前記ＨＴＴＰリクエストに対応する切り換え制御データを前記カード型モバイル通信端末に送信することにより、前記マイクロコンピュータのＲＯＭに記憶したプログラムに基づいて前記カードスロットインターフェイスを介して前記カード型モバイル通信端末に受信された切り換え制御データを前記ＣＰＵに入力し、前記マイクロコンピュータの制御の下に各コンセントのオン／オフ切り換えを行なうことを特徴とするテーブルタップが開示されている。
【０００７】
これら特許文献１および２に開示されているコンセント装置およびテーブルタップは、複数のコンセントを備えていることを前提としているが、これらのコンセントに接続された電気機器の電力の合計値がテーブルタップの定格容量以内であることを確認する手段を備えておらず、使用者が確認しなければならなかった。
【０００８】
また、特許文献３には、電力を監視及び制御する手段が予め設けられていない電気機器を含む多種多様な任意の電気機器に対して、遠隔操作機による遠隔操作により電力の監視及び制御を可能とするシステムを実現し、電気機器の利用者の利便性を損なうことなく、省電力化を実現するための技術として、電力を監視及び制御する手段を有するテーブルタップと、電力の監視及び制御情報を記憶する手段、遠隔操作機からの制御信号を中継する手段を有するセンターサーバと、前記テーブルタップとセンターサーバ間の通信を中継するゲートウェイと、構成される電力監視及び制御システムが開示されている。
【０００９】
この技術においては、テーブルタップに備えられているコンセントの数は１個以上となっているが、特許文献１および２と同様に、テーブルタップとしての定格容量以内であることを確認する手段を備えていることが記載されていない。
【００１０】
以上の様な状況であるため、複数のコンセントを有するテーブルタップのそれぞれのコンセントに電気機器を接続した場合、接続した電気機器の定格電流値（定格電力に相当する。）の合計値がテーブルタップの定格電流値を越えていないことを、使用者が確認しなければならなかった。
【先行技術文献】
【特許文献】
【００１１】
【特許文献１】特開２００２−  ４４８８２号公報
【特許文献２】特開２００３−１５１７０２号公報
【特許文献３】国際公開第２０１２／００８４０２号
【発明の概要】
【発明が解決しようとする課題】
【００１２】
上記の事情に鑑み、本発明は、電気機器の電力の使用状態を監視し、電源のＯＮ／ＯＦＦ制御を行う電気機器の遠隔監視管理システムにおいて、複数のコンセントを備えたテーブルタップの個々のコンセントに電気機器接続用具を介して接続した場合、いちいち接続した電気機器の定格電流値を確認しなくても、その合計値がテーブルタップの定格電流値を越えたことを検知可能な電気機器接続用具を提供することを課題とする。
【課題を解決するための手段】
【００１３】
上記の課題を解決する手段として、本発明の請求項１に記載の発明は、インターネット回線を介して、電気機器を遠隔監視および遠隔操作する遠隔監視管理システムにおいて、電気機器のプラグを接続するコンセントを２個以上備えたテーブルタップのコンセントと電気機器との間に介在して、電気機器に供給されている電流値やテーブルタップに流れている総電流値を遠隔監視し、電気機器に流れる電流を遠隔操作でＯＮ／ＯＦＦ制御する電気機器接続用具であって、コンセントから電気機器に供給される電流値を監視する電力監視手段Ａと、コンセントから電気機器に供給される電流をＯＮ／ＯＦＦ制御するスイッチ手段と、同じテーブルタップに接続された他の電気機器接続用具が測定した電流値のデータを無線で受信し、インターネットに接続可能な外部装置と無線で接続可能な無線通信手段と、を備えており、電力監視手段Ａは、コンセントから電気機器に供給される電流値を測定する電力測定手段と、同じテーブルタップに接続された全ての電気機器接続用具で測定された電流値のデータを集計し合計値を算出する集計手段と、集計手段が算出した合計値がテーブルタップの定格容量以下であるか、超過しているか、を判定する判定手段と、電力測定手段と、集計手段と、判定手段と、スイッチ手段の動作を制御し、集計手段が取得した電流値のデータと算出した合計値のデータおよび判定手段が判定した結果を記憶する制御手段Ａと、を備えていることを特徴とする電気機器接続用具である。
【００１４】
また、請求項２に記載の発明は、インターネット回線を介して、電気機器を遠隔監視および遠隔操作する遠隔監視管理システムにおいて、電気機器のプラグを接続するコンセントを２個以上備えたテーブルタップのコンセントと電気機器との間に介在して、電気機器に供給されている電流値やテーブルタップに流れている電流値を遠隔監視し、電気機器に流れる電流を遠隔操作でＯＮ／ＯＦＦ制御する電気機器接続用具と、その電気機器接続用具および他の電気機器接続用具と無線で接続して全ての電気機器接続用具が測定した電流値のデータを取得し、また各電気機器接続用具のスイッチ手段に信号を伝達してＯＮ／ＯＦＦ制御が可能で、またインターネットに接続可能な外部装置と無線通信可能な外部制御装置と、を備えている電気機器接続用具と外部制御装置のセットであって、外部制御装置は、インターネットに接続可能な外部装置を介して送られてくる信号または外部制御装置自身が発する信号により、同じテーブルタップと他のテーブルタップに接続された電気機器接続用具を区別して、テーブルタップ毎に、全ての電気機器接続用具で測定された電流値のデータを取得し、合計値を算出する集計手段と、それらの各合計値が各テーブルタップの定格容量以下であるか、超過しているか、を判定する判定手段と、インターネットに接続可能な外部装置や全ての電気機器接続用具と無線通信可能な無線通信手段Ｂと、集計手段と、判定手段と、外部制御装置の無線通信手段Ｂの動作を制御し、集計手段が取得した電流値のデータや算出した合計値のデータと、判定手段が判定した結果のデータを記憶する外部制御手段と、を備えており、電気機器接続用具は、コンセントから電気機器に供給される電流値を監視する電力監視手段と、コンセントから電気機器に供給される電流をＯＮ／ＯＦＦ制御するスイッチ手段と、外部制御装置の無線通信手段Ｂと無線通信可能な無線通信手段Ａと、を備えており、電力監視手段は、コンセントから電気機器に供給される電流値を測定する電力測定手段と、電力測定手段とスイッチ手段を制御する制御手段Ｂを備えていることを特徴とする電気機器接続用具と外部制御装置のセットである。
【００１５】
また、請求項３に記載の発明は、前記無線通信手段が、ＲＦＩＤタグに使用されるアンテナとＩＣチップを備えていることを特徴とする請求項１に記載の電気機器接続用具である。
【００１６】
また、請求項４に記載の発明は、前記無線通信手段Ａが、ＲＦＩＤタグに使用されるアンテナとＩＣチップを備えていることを特徴とする請求項２に記載の電気機器接続用具と外部制御装置のセットである。
【００１７】
また、請求項５に記載の発明は、請求項１または３に記載の前記電気機器接続用具を使用した電気機器の遠隔監視管理システムであって、
前記外部装置が、無線ルータであることを特徴とする電気機器の遠隔監視管理システムである。
【００１８】
また、請求項６に記載の発明は、請求項２または４に記載の前記電気機器接続用具と前記外部制御装置のセットを使用した電気機器の遠隔監視管理システムであって、
前記外部装置が、無線ルータであることを特徴とする電気機器の遠隔監視管理システムである。
【発明の効果】
【００１９】
本発明の電気機器接続用具によれば、複数のコンセントを有するテーブルタップの個々のコンセントに電気機器接続用具を介して電気機器を接続した場合、各電気機器接続用具がそれぞれに接続された電気機器の電力を測定することができる。各電気機器接続用具が測定した電力の値を、相互に無線通信手段を介して集計して合計値を算出することができる。また、その合計値が予め設定したテーブルタップに流せる定格電流値を超えたことを検知可能な判定手段を備えている。そのため、使用者がテーブルタップに接続する複数の電気機器の定格電流値を確認し、それらの合計値がテーブルタップの定格容量（定格電流値）以内であることを確認する必要が無い。
【００２０】
また、本発明の電気機器接続用具と外部制御装置のセットによれば、上記した電気機器接続用具と同様な働きのため、使用者がテーブルタップに接続する複数の電気機器の定格電流値を確認し、それらの合計値がテーブルタップの定格容量（定格電流値）以内であることを確認する必要が無いことに加え、電気機器接続用具の電力監視手段の制御手段から、集計手段と判定手段を省略した構成の電気機器接続用具としたため、電気機器接続用具のコストを低減することが可能となる。この場合、多数の電気機器接続用具を１台のパーソナルコンピュータなどを使用した外部制御装置で制御可能となるため、遠隔監視管理システムとしても低コスト化を実現することが可能となる。
【図面の簡単な説明】
【００２１】
【図１】本発明の電気機器接続用具の構成の一例を示す説明図。
【図２】本発明の電気機器接続用具と外部制御装置のセットの構成の一例を示す説明図。
【図３】テーブルタップと本発明の電気機器接続用具と電気機器の構成関係を例示する説明図であって、（ａ）はテーブルタップのコンセント側から見たテーブルタップの説明図、（ｂ）は（ａ）のテーブルタップのコンセントに電気機器接続用具が差し込まれ、更に電気機器接続用具のコンセントに、電気機器のプラグが差し込まれた状態を例示する説明図。
【発明を実施するための形態】
【００２２】
本発明の電気機器接続用具および電気機器接続用具と外部接続用具のセットについて説明する。
【００２３】
＜電気機器接続用具＞
本発明の電気機器接続用具について、図１を使用して説明する。
図１に、本発明の電気機器接続用具について示した。
本発明の電気機器接続用具は、インターネット回線を介して、電気機器を遠隔監視および遠隔操作する遠隔監視管理システムにおいて、電気機器のプラグを接続するコンセントを１個以上備えたテーブルタップのコンセントと電気機器との間に介在して、電気機器に供給されている電流値やテーブルタップに流れている総電流値を遠隔監視し、電気機器に流れる電流を遠隔操作でＯＮ／ＯＦＦ制御する電気機器接続用具である。
【００２４】
本発明の電気機器接続用具は、コンセントから電気機器に供給される電流値を監視する
電力監視手段Ａと、コンセントから電気機器に供給される電流をＯＮ／ＯＦＦ制御するスイッチ手段と、同じテーブルタップに接続された他の電気機器接続用具が測定した電流値のデータを無線で受信し、またインターネットに接続可能な外部装置と無線で接続可能な無線通信手段と、を備えている。
電力監視手段Ａは、コンセントから電気機器に供給される電流値を測定する電力測定手段と、同じテーブルタップに接続された全ての電気機器接続用具で測定された電流値のデータを集計し合計値を算出する集計手段と、集計手段が算出した合計値がテーブルタップの定格容量以下であるか、超過しているか、を判定する判定手段と、電力測定手段と集計手段と判定手段とスイッチ手段の動作を制御し、集計手段が取得した電流値のデータと算出した合計値のデータおよび判定手段が判定した結果を記憶する制御手段Ａと、を備えている。
【００２５】
（電力監視手段Ａ）
電力監視手段Ａは、商用電源の供給源である複数のコンセントを備えたテーブルタップに、電気機器接続用具に備えられているプラグを挿し込み、スイッチ手段を介してコンセントに給電される。そのコンセントに電気機器のプラグを挿し込む事により、電気機器に商用電源を給電可能となる。
電力監視手段Ａは、電気機器に供給される電流値または電力を測定する電力測定手段と、他の電気機器接続用具が測定した電流値または電力の測定データを取得し、全ての電気機器接続用具の測定データを取得し合計値を得る集計手段と、集計手段が取得した合計値と予め設定したテーブルタップの定格容量の値を比較し、合計値が定格容量以下であるか、定格容量を超越しているか、を判定する手段を備えている。
【００２６】
（電力測定手段）
電力測定手段としては、具体的には、電気機器接続用具のプラグまたはスイッチ手段またはコンセントのいずれかの部位の導通部に流れる電流値を測定する手段であれば使用可能である。また、それらの部位における電圧も測定して、電流と電圧から電力を測定しても良い。テーブルタップの定格容量は、接続される電気機器に供給される皮相電力が問題となるため、皮相電力を測定する手段であれば良い。すなわち、電圧と電流の実効値をそれぞれ測定すれば、それらを乗じた値を皮相電力として捉えることができる。
【００２７】
テーブルタップの定格容量は電流値で示されているため、電流値を皮相電力を表す代表値として捉えるのが好ましい。
【００２８】
測定の周期は一定時間間隔で測定しても良いし、電気機器を電気機器接続用具のコンセントに接続した時だけ測定することも可能である。また、不定期に外部装置を介して、測定指示を出した時に測定するようにすることも可能である。電気機器の経時的推移をモニターするためには、一定時間間隔で測定することが好ましい。
【００２９】
（集計手段）
複数のコンセントを有する同じテーブルタップに接続した個々の電気機器接続用具で測定した電流値の全てのデータを、無線通信手段を介して、制御手段Ａの信号に従って、集計手段が取得し、記憶し、合計値を演算し、記憶する。
【００３０】
（判定手段）
集計手段が記憶した個々の電気機器接続用具の電流値の合計値を、判定手段が取得し算出した合計値を、予め記憶しておいたテーブルタップの定格容量値と比較し、合計値が定格容量値以下であるか、定格容量値を超越しているか、を判定する。
【００３１】
集計手段と判定手段を実施する具体的な形態としては、例えば、少なくとも演算機能と
記憶機能とそれらの機能を制御する制御機能を備えたマイクロプロセッサを用いて実施する形態が可能である。
【００３２】
（制御手段Ａ）
制御手段Ａは、電力測定手段、集計手段、判定手段およびスイッチ手段の動作を制御する。無線通信手段を通して、他の電気機器接続用具で測定した測定データを取得し、合計値を算出し、記憶する。それらのデータを判定手段にお送り判定に使用する、という一連の動作を行うための信号を電力測定手段、集計手段、判定手段に発信する。
【００３３】
また、制御手段Ａは、無線通信手段を介して、インターネットに接続可能な無線ルータなどの外部装置と接続し、遠隔地にあるパソコンやスマートフォンなどの携帯情報端末を使用して、個々の電気機器接続用具が取得したデータを取得したり、閲覧することが可能である。電気機器接続用具がテーブルタップの定格容量を超越したことを判定した場合は、その情報を携帯情報端末などにより知ることができる。
【００３４】
そのような場合、携帯情報端末などにより、電気機器接続用具を特定して、電力監視手段Ａの制御手段Ａにスイッチ手段をＯＦＦする信号を送り、商用電源からの電力の供給を切断することができる。また、制御手段Ａの中に、最後に接続した電気機器によりテーブルタップの定格容量を超えた場合に、自動的にその電気機器が接続された電気機器接続用具のスイッチ手段をＯＦＦする信号を発信する手段を備えていても良い。
【００３５】
制御手段Ａとしては、例えば、集計手段と判定手段を担うマイクロプロセッサに制御手段Ａをも担わせることが可能である。またマイクロコンピュータを使用して、制御手段Ａ，集計手段、判定手段の全ての手段を担わせることができる。
例えばマイクロコンピュータを使用して電力監視手段Ａを構成すると、遠隔地において、専用のアプリケーションソフトウェアをインストールしたスマートフォンからインターネットを介して、電気機器接続用具の電力監視手段Ａであるマイクロコンピュータにアクセスし、マイクロコンピュータが取得したデータを閲覧したり、ダウンロードしたりすることが可能である。
【００３６】
（スイッチ手段）
スイッチ手段のＯＮ／ＯＦＦ制御は、制御手段Ａによって実施される。ＯＮ／ＯＦＦの手段としては、リレーのような機械的なスイッチ機構を採用しても良いし、サイリスタなどのような電子的なスイッチ回路を使用しても良い。
【００３７】
（無線通信手段）
無線通信手段は、他の電気機器接続用具およびインターネットと接続するための無線ルータなどの外部装置と電気機器接続用具を無線通信にて接続するための手段であり、市販されている各種のデジタルデータの通信に使用する通信装置を好適に使用可能である。
また無線通信手段として、ＲＦＩＤ技術で使用されるアンテナとＩＣチップを使用して無線通信可能な電子回路を構成することで、低コスト化が可能である。
【００３８】
＜電気機器接続用具と外部制御装置のセット＞
次に、電気機器接続用具と外部制御装置のセットについて、図２を用いて説明する。
このセットで使用する電気機器接続用具は、基本的には図１を用いて説明した電気機器接続用具と同等であるが、異なる点は、電力監視手段Ａから、集計手段と判定手段を削除して簡素化した点である。このようにして電気機器接続用具のコスト削減を行うことができる。
【００３９】
本発明の電気機器接続用具と外部制御装置のセットは、図１の電力監視手段Ａで示した集計手段と判定手段を、図２に示した外部制御装置の中に備えた構成である点が特徴である。
【００４０】
すなわち、本発明の電気機器接続用具Ｂと外部制御装置のセットは、電気機器を接続するコンセントと、そのコンセントに接続された電気機器の電力を監視する電力監視手段Ｂと、電気機器への給電をＯＮ／ＯＦＦ制御するスイッチ手段と、無線通信するための無線通信手段Ａと、テーブルタップのコンセントと接続するプラグと、を備えた電気機器接続用具Ｂと、電気機器接続用具Ｂの無線通信手段Ａを介して電気機器接続用具Ｂを制御する外部制御装置のセットである。
【００４１】
また、本発明の電気機器接続用具Ｂと外部制御装置のセットで使用する電気機器接続用具Ｂの電力監視手段Ｂは、電力測定手段とスイッチ手段を制御する制御手段Ｂを備えている。
【００４２】
また、外部制御装置は、複数のコンセントを備えたテーブルタップに接続された他の電気機器接続用具で測定された電流値のデータを取得し、テーブルタップ毎の合計値を集計する集計手段と、その合計値がテーブルタップの定格容量を超えているかどうかを判定する判定手段と、集計手段と判定手段と電力監視手段Ｂの制御手段Ｂを、外部制御装置の無線通信手段Ｂと電気機器接続用具の無線通信手段Ａを介して制御する外部制御手段と、を備えている。
【００４３】
（電力監視手段Ｂ）
電力監視手段Ｂは、集計手段と判定手段を備えておらず、電力測定手段とスイッチ手段を制御する制御手段Ｂを備えている。電力監視手段Ａと比較して、制御手段Ｂは集計手段と判定手段が省略され簡素化した構成であるため、低コストとなる。
【００４４】
（外部制御装置）
外部制御装置は、集計手段と、判定手段と、インターネットと接続するための無線ルータなどの外部装置と無線通信するための無線通信手段Ｂと、それらの各手段を制御する外部制御手段を備えている。
このような外部制御装置は、具体的にはマイクロプロセッサ、マイクロコンピュータ、パーソナルコンピュータなどに、集計手段、判定手段の実行内容に沿ったソフトウェアをインストールすることによって、集計手段や判定手段の機能を担わせることが可能である。
【００４５】
無線通信手段Ｂは、同じテーブルタップのコンセントに接続されている他の電気機器接続用具との無線通信も行うことができる。また、複数のテーブルタップにそれぞれ１個以上の電気機器接続用具が接続されている場合であっても、全ての電気機器接続用具とテーブルタップに固有の識別情報を付与しておくことにより、各テーブルタップの定格容量を超過した電気機器が接続されたかどうか、を検知することができる。
【００４６】
（外部制御手段）
外部制御手段としては、例えばマイクロプロセッサ、マイクロコンピュータ、パーソナルコンピュータなどを好適に使用可能である。
無線ルータなどの外部装置や、同じテーブルタップのコンセントに接続されている他の電気機器接続用具とも無線通信を行う無線通信手段Ｂとしては、例えばパーソナルコンピュータが内蔵している無線通信機能を使用しても良いし、無線ＬＡＮの無線ルータに対応した子機を接続して使用しても良い。
【００４７】
以上に説明した、電気機器接続用具Ａおよび電気機器接続用具Ｂと外部制御装置のセットにより、電気機器の遠隔監視管理システムを構築することが可能である。
図３（ａ）は、使用するテーブルタップの外観を例示した説明図であり、図３（ｂ）は、そのテーブルタップに、本発明の電気機器接続用具を接続し、更にその電気機器接続用具に備えられているコンセントに電気機器のプラグを接続した状態を例示した説明図である。
【００４８】
このようにして本発明の電気機器接続用具Ａ、Ｂに電気機器を接続することにより、その電気機器接続用具Ａ、Ｂと無線通信可能な位置に設置された無線ルータなどの外部装置を介して、または外部制御装置の無線通信手段Ｂを介して、インターネットに接続し、例えば携帯情報端末を使用することにより、複数の電気機器の遠隔監視や電源のＯＮ／ＯＦＦなどの遠隔操作が可能な遠隔監視管理システムを構築することが可能となる。
【図１】
0006707989.tif 000002
【図２】
0006707989.tif 000003
【図３】
0006707989.tif 000004